(57)【特許請求の範囲】
【請求項１】
合成樹脂製の線条ファスナーエレメント列３をファスナーテープ４の一側縁に縫着し、ファスナーエレメント列３の末端側に位置する複数個のファスナーエレメント列３における噛合頭部１０の裏側の噛合空間部１３に合成樹脂製の棒状体６を挿入し、該挿入部分を溶着してスライダー用の止部１４を形成してなることを特徴とするスライドファスナーの止部。
【請求項２】
棒状体６を隔離状態の線条ファスナーエレメント列３の噛合空間部１３に挿入し、該挿入部分を溶着して上止め１５を形成してなる請求項１記載のスライドファスナーの止部。
【請求項３】
棒状体６を噛合状態の線条ファスナーエレメント列３の噛合空間部１３に挿入し、該挿入部分を溶着して下止め１６を形成してなる請求項１記載のスライドファスナーの止部。
【請求項４】
棒状体６を線条ファスナーエレメント列３における噛合頭部１０とともに、表裏方向から圧潰して溶着してなる請求項１記載のスライドファスナーの止部。
【請求項５】
ファスナーチェン１の表面側Ａのファスナーテープ４上にインクジェットによる模様２０を現出し、または／および止水加工を施し、ファスナーテープ４の一側縁に合成樹脂製の線条ファスナーエレメント列３を装着し、ファスナーエレメント列３の末端側に位置する複数個のファスナーエレメント列３の噛合空間部１３に合成樹脂製の棒状体６を挿入し、挿入部分を溶着して止部１４を形成した請求項１記載の止部を具備してなるスライドファスナー。
【発明の詳細な説明】
【０００１】
【発明の属する技術分野】
この発明は、合成樹脂製のコイルタイプ、ジグザグタイプの線条ファスナーエレメントをファスナーテープの一側縁に取り付けたスライドファスナーおよび隠しスライドファスナーの上止めまたは下止めの止部に関するものである。
【０００２】
【従来の技術】
従来、合成樹脂製のコイルタイプまたはジグザグタイプの線条スライドファスナーおよび隠しスライドファスナーにおける上止め、下止めの止部に関し、種々タイプの止部が提案されている。たとえば図１４に示すように線条ファスナーエレメント列の末端部における複数個のエレメントの頭部にわたり、それらのテープ寄りの裏面に断面円形状の合成樹脂片を溶着可能に形成し、合成樹脂片はエレメント列の末端に位置する端部を表面へ曲げて屈曲部を設け、屈曲部の端面がエレメントの表面よりも低く形成し、屈曲部をエレメント列末端のエレメント頭部の側面に形成された湾入した噛合面に溶着した止部が実公昭５６−５１７７３号公報に開示されている。
【０００３】
さらに、図１５に示すように合成樹脂製のコイルタイプまたはジグザグタイプの線条ファスナーエレメント列が噛合した状態における複数個のエレメント頭部の裏側に存在する空隙部に金属製の頭部付きピンを挿入して左右のエレメントを固定した止部が実公昭５１−４８２３号公報に開示されている。
【０００４】
【発明が解決しようとする課題】
前項で述べた図１４に示した止部は、合成樹脂片を超音波加工によって線条ファスナーエレメント列の頭部の下面に加圧して溶着するとともに、末端をエレメントの表面側へ屈曲してエレメント頭部の側面に溶着するものであり、合成樹脂片の溶着加工がきわめて面倒で安価に作製することができない。合成樹脂片はエレメントの表面に溶着させたものであるから、使用中に剥離するおそれがある。
【０００５】
また、図１５に示した止部は、合成樹脂製の線条ファスナーエレメント列内へ金属製の頭部付きピンを単に挿入したものであり、固定が不安定であり使用中に無理な力が働くとピンが抜脱するおそれがあるなど問題がある。
【０００６】
この発明は、上述の問題点を考慮して発明されたものであり、請求項１記載の発明は、合成樹脂製の線条ファスナーエレメント列を装備した通常タイプまたは隠しタイプのスライドファスナーにおけるスライダーの抜脱防止用の上止め、下止めを線条ファスナーエレメント列の噛合頭部の裏側の噛合空間部内へ合成樹脂製の棒状体を挿入し、挿入部分における線条ファスナーエレメント列と棒状体とを溶着し、堅牢で品質がよく安価に作製できるスライドファスナーの止部を提供することが主たる目的である。
【０００７】
請求項４記載の発明は、請求項１記載の発明の目的に加え、棒状体を線条ファスナーエレメントに的確に装着し、堅牢な止部に仕上げることができるスライドファスナーの止部を提供することが目的である。
【０００８】
請求項２記載の発明は、請求項１記載の発明の目的に加え、線条ファスナーエレメント列に棒状体を理想的な形で配置し、簡単に上止めを作製できるスライドファスナーの止部を提供することが目的である。
【０００９】
請求項３記載の発明は、請求項１記載の発明の目的に加え、線条ファスナーエレメント列に棒状体を理想的な形で配置し、簡単に下止めを作製できるスライドファスナーの止部を提供することが目的である。
【００１０】
請求項５記載の発明は、通常タイプまたは隠しタイプのファスナーチェンにおけるファスナーテープに特殊な模様または加工を施したファスナーチェンに対し、請求項１記載の止部を具備したところのスライドファスナーを提供することが目的である。
【００１１】
【課題を解決するための手段】
前記の目的を達成するため、この発明のうち請求項１記載の発明は、合成樹脂製の線条ファスナーエレメント列３をファスナーテープ４の一側縁に装着して形成した通常タイプ、また隠しタイプのスライドファスナーにおいて、線条ファスナーエレメント列３の末端側に位置する複数個の線条ファスナーエレメント３にわたって合成樹脂製の棒状体６を挿入した後に、超音波溶接加工などにより溶着し、スライダーの抜脱防止用の上止め１５、下止め１６の止部１４を形成したスライドファスナーの止部を主な構成とするものである。
【００１２】
請求項４記載の発明は、請求項１記載の発明の構成に加え、止部１４を形成するための棒状体６を線条ファスナーエレメント列３内に配し、ファスナーエレメント３の噛合頭部１０とともに、表裏方向から圧潰して付け合わせた後に、超音波溶接加工などにより溶着したスライドファスナーの止部である。
【００１３】
請求項２記載の発明は、請求項１記載の発明の構成に加え、止部１４を形成するための棒状体６を隔離状態にある線条ファスナーエレメント列３の内部に配して付け合わせた後に、超音波溶接加工などにより溶着してスライドファスナーの上止め１５を形成したスライドファスナーの止部である。
【００１４】
請求項３記載の発明は、請求項１記載の発明の構成に加え、止部１４を形成するための棒状体６を噛合状態にある線条ファスナーエレメント列３の内部に配して付け合わせた後に、超音波溶接加工などにより溶着してスライドファスナーの下止め１６を形成したスライドファスナーの止部である。
【００１５】
請求項５記載の発明は、通常タイプまたは隠しタイプのファスナーチェン１の表面側Ａに位置するファスナーテープ４にインクジェットによる各種の模様を現出し、または／およびファスナーテープ４に止水加工を施し、ファスナーテープ４の一側縁に合成樹脂製の線条ファスナーエレメント列３を装着し、ファスナーエレメント列３の末端側に位置する複数個のファスナーエレメント３にわたって、合成樹脂製の棒状体６を挿入した後に溶着して止部１４を形成した請求項１記載の止部を具備したスライドファスナーである。
【００１６】
【発明の実施の形態】
以下、この発明のスライドファスナーの止部について、図面を参照しながら具体的に説明する。
【００１７】
この発明のスライドファスナーは、ポリアミド、ポリエステルなどの合成繊維のモノフィラメントをコイル状に捲回し、またはジグザグ状に屈曲して線条ファスナーエレメント列３を作製し、この線条ファスナーエレメント列３をファスナーテープの一側縁に縫糸８によって縫着し、または織り込み、あるいは編み込んで装着して、通常タイプのスライドファスナーまたは隠しタイプのスライドファスナーに仕上げる。コイル状またはジグザグ状の線条ファスナーエレメント３は、噛合頭部１０、上下脚部１１、連結部１２、噛合空間部１３から形成され、線条ファスナーエレメント列３の内部には芯紐９を挿通し介在させることにより、ファスナーエレメント列３のファスナーテープ４への装着およびファスナーエレメント３の噛合動作の安定化を図っている。
【００１８】
この発明は、上述のように形成された通常タイプのスライドファスナーまたは隠しタイプのスライドファスナーの双方に適用できる上止め１５、下止め１６の止部１４である。図１〜３に示す通常タイプのスライドファスナーにおける上止め１５の止部１４について説明すると、ファスナーテープ４の一側縁にコイル状の線条ファスナーエレメント列３内に芯紐９を挿通した機素を噛合頭部１０が側縁から突出する形で縫着してファスナーストリンガー２を作製する。このファスナーストリンガー２の末端側に存在する複数個のファスナーエレメント３の噛合頭部１０の裏側に形成されている噛合空間部１３に、ファスナーエレメント３と同種たとえばポリアミド、ポリエステルの熱可塑性樹脂または融点の低い樹脂を用いて、丸棒状の棒状体６を挿通し、棒状体６はファスナーエレメント３および芯紐９に囲まれた噛合空間部１３内へ保持させた状態に形成する。
【００１９】
噛合空間部１３に挿入された棒状体６は、超音波溶接加工によって、ファスナーエレメント３および芯紐９に溶着される。したがってファスナーエレメント３の噛合頭部１０の裏側に存在する噛合空間部１３は、溶着した合成樹脂片５で閉鎖させることにより、噛合相手のファスナーエレメント３の噛合頭部１０が噛合空間部１３に挿入して噛合することができないので、ファスナーチェン１からスライダーが抜脱を防ぐための上止め１５としての止部の停止機能を果たすものである。
【００２０】
なお、合成樹脂製の棒状体６は、コイル状のファスナーエレメント３内で溶着するため、ファスナーエレメント３の表面にバリが表出することがなく品質のよい上止め１５に仕上げることができる。また使用する棒状体６の大きさ形状は、適用するファスナーエレメント３の大きさ、さらに噛合空間部１３の形状によって適宜選択される。
【００２１】
図４〜６に示す止部１４は、隠しタイプのスライドファスナーの上止め１５であり、コイル状の線条ファスナーエレメント列３内に芯紐９を挿通した機素をファスナーテープ４の側縁側にファスナーエレメント３の連結部１２が位置する形で縫糸８によって脚部１１をファスナーテープ４に縫着し、このファスナーテープ４の内側に存在する縫糸８の近傍においてファスナーテープ４を折り返して噛合頭部１０が折返部１７から突出する形に形成して隠しタイプのファスナーストリンガー２を作製する。このファスナーストリンガー２における末端側に存在する複数個のファスナーエレメント３の噛合頭部１０の裏側に存在する噛合空間部１３に合成樹脂製の棒状体６を挿通して付け合せる。
【００２２】
噛合空間部１３に挿入された棒状体６は、超音波溶接加工によって、ファスナーエレメント３および芯紐９に溶着される。したがって通常タイプのファスナーエレメント列３と同様に噛合頭部１０の裏側に存在する噛合空間部１３が合成樹脂製の棒状体６によって閉鎖され、噛合相手のファスナーエレメント３の噛合頭部１０が噛合させることができないので、隠しタイプのスライドファスナーの上止め１５としての止部の停止機能を果たすものである。
【００２３】
特に隠しタイプのスライドファスナーにおけるファスナーエレメント列３はファスナーストリンガー２の裏側に存在するため、上止め１５も当然裏側に位置し、上止め１５にバリがあると直接首などの肌に触れる機会が多く、バリの発生を完全に防ぐ必要がある。その点この発明の上止め１５は、合成樹脂製の棒状体６がファスナーエレメント列３内に挿通され内部で溶着するから、ファスナーエレメント列３の表面にバリが生ずることがなく、品質のよい隠しスライドファスナーに仕上げることができる。また止部１４の外形状が変化しないため、隠しスライドファスナーを衣服などに縫製する際、ミシンフットガイドに当接するという弊害が発生しない。
【００２４】
図７、８に示す通常タイプのスライドファスナーにおける止部１４は、左右のファスナーテープ４の側縁に装着したコイル状のファスナーエレメント列３を噛合させたファスナーチェン１の状態で、ファスナーチェン１の末端側の複数個のファスナーエレメント３における噛合頭部１０の裏側に存在する噛合空間部１３に合成樹脂製の丸棒状の棒状体６を挿通し、かつ保持させた後に超音波溶接加工によって、ファスナーエレメント３および芯紐９に溶着固定することにより、通常タイプのスライドファスナーの下止め１６としての止部１４が完成する。
【００２５】
図９に示す隠しタイプのスライドファスナーにおける止部１４は、左右のファスナーテープ４の折返部１７に装着したコイル状の線条ファスナーエレメント列３を噛合させたファスナーチェン１の状態で、ファスナーチェン１の末端側の複数個のファスナーエレメント３における噛合頭部１０の裏側に存在する噛合空間部１３に合成樹脂製の棒状体６を挿通し保持させた後に、超音波溶接加工によってファスナーエレメント３と芯紐９に溶着固定して、隠しタイプのスライドファスナーの下止め１６としての止部１４を完成させる。
【００２６】
図１０に示す隠しタイプのスライドファスナーの止部１４は、ファスナーストリンガー２におけるファスナーテープ４の折返部１７に装着したファスナーエレメント列３の噛合頭部１０の裏側に存在する噛合空間部１３に挿通し保持された合成樹脂製の棒状体６を超音波溶接加工によってファスナーエレメント列３および芯紐９に溶着させると同時に、ファスナーエレメント列３の噛合頭部１０を上下すなわち表裏から押圧し、棒状体６を圧潰して固定した上止め１５であり、ファスナーエレメント列３における止部１４の横幅を拡大してスライダーの停止機能を的確にしたものである。なお、このタイプの止部１４はファスナーチェン１の下止め１６にも応用することができ、また通常タイプのスライドファスナーにも適用できる。
【００２７】
最後に図１１〜１３に示すスライドファスナーの実施例について説明すると、ここに示したスライドファスナーは通常タイプのスライドファスナーであって、ファスナーチェン１の表面側Ａに位置するファスナーテープ４に特殊加工であるインクジェットにより各種の模様、文字などを現出し、またはファスナーテープ４に止水加工を施し、ファスナーチェン１の裏面側Ｂに位置するファスナーテープ４に合成樹脂製のコイル状またはジグザグ状の線条ファスナーエレメント列３に芯紐９を添装して縫糸８により縫着することによってテープ縁部に取り付けてファスナーチェン１を完成する。
【００２８】
このファスナーチェン１は図１２、１３に示すように裏面側Ｂに配された噛合するファスナーエレメント列３における末端側に位置する複数個のファスナーエレメント３にわたって合成樹脂製の棒状体６を双方のファスナーエレメント３の噛合頭部１０の裏側に存在する噛合空間部１３に挿通した後に、超音波溶接加工によって溶着固定して下止め１６の止部１４を作成する。このタイプの止部１４はファスナーストリンガー２の上部末端における上止め１５にも適用する。
【００２９】
【発明の効果】
この出願の効果として、請求項１記載の発明は、合成樹脂製の線条ファスナーエレメント列をファスナーテープの一側縁に縫着し、ファスナーエレメント列の末端側に位置する複数個のファスナーエレメント列における噛合頭部の裏側の噛合空間部に合成樹脂製の棒状体を挿入し、該挿入部分を溶着してスライダー用の止部を形成したことによって、下記の効果を奏する。
【００３０】
合成樹脂製の線条ファスナーエレメント列の噛合頭部の裏側に存在する噛合空間部に対し、合成樹脂製の棒状体を挿入して、この挿入部分を溶着したことから、線条ファスナーエレメントの表面にバリが発生することを抑制し、品質のよい止部に仕上げられる。また合成樹脂製の棒状体を所定の位置に的確かつ簡易に保持するとともに、棒状体の作製が容易に行える効果がある。
【００３１】
請求項２記載の発明は、請求項１記載の発明の効果に加え、棒状体を隔離状態の線条ファスナーエレメント列の噛合空間部に挿入し、該挿入部分を溶着して上止めを形成したことによって、ファスナーエレメントが隔離した状態のファスナーストリンガーに簡単に棒状体を採択して利用し、簡易に上止めを作製できる効果がある。
【００３２】
請求項３記載の発明は、請求項１記載の発明の効果に加え、棒状体を噛合状態の線条ファスナーエレメント列の噛合空間部に挿入し、該挿入部分を溶着して下止めを形成したことによって、ファスナーエレメントが噛合した状態のファスナーチェンに簡単に棒状体を採択して利用し、簡易に下止めを作製できる効果がある。
【００３３】
請求項４記載の発明は、請求項１記載の発明の効果に加え、棒状体を線条ファスナーエレメント列における噛合頭部とともに、表裏方向から圧潰して溶着したことによって、線条ファスナーエレメント列の末端でより確実にスライダーを停止させることができ、かつ噛合空間部を完全に封鎖させ、棒状体が抜脱することがない止部を形成することができる効果がある。
【００３４】
請求項請求項５記載の発明は、請求項１記載の発明の効果に加え、ファスナーチェンの表面側のファスナーテープ上にインクジェットによる模様を現出し、または／および止水加工を施し、ファスナーテープの一側縁に合成樹脂製の線条ファスナーエレメント列を装着し、ファスナーエレメント列の末端側に位置する複数個のファスナーエレメント列の噛合空間部に合成樹脂製の棒状体を挿入し、挿入部分を溶着して止部を形成し、該止部を備えたスライドファスナーは、ファスナーチェンにおけるファスナーテープ上に特殊加工、すなわちインクジェットによる模様付け、または止水加工を施したファスナーテープを止部の装着による損傷を防ぎ、きわめて美しい体裁のよいスライドファスナーに仕上げることができる効果があるなど、この発明が奏する効果はきわめて顕著である。
【図面の簡単な説明】
【図１】  通常タイプのスライドファスナーに棒状体を用いた上止めの斜視図である。
【図２】  同上の上止めの正面図である。
【図３】  同上の上止めのＡ−Ａ線断面図である。
【図４】  隠しタイプのスライドファスナーに棒状体を用いた上止めの斜視図である。
【図５】  同上の上止めの正面図である。
【図６】  同上の上止めのＢ−Ｂ線断面図である。
【図７】  通常タイプのスライドファスナーに棒状体を用いた下止めの正面図である。
【図８】  同上の下止のＣ−Ｃ線断面図である。
【図９】  隠しタイプのスライドファスナーに棒状体を用いた下止めの断面図である。
【図１０】  隠しタイプのスライドファスナーにおける圧潰した上止めの断面図である。
【図１１】  表面にインクジェットによる模様付けをしたファスナーチェンの正面図である。
【図１２】  同上のファスナーチェンの裏面に棒状体から形成した止部の正面図である。
【図１３】  同上のファスナーチェンのＨ−Ｈ線断面図である。
【図１４】  公知の下止めの断面図である。
【図１５】  他の公知の下止めの斜視図である。
【符号の説明】
１            ファスナーチェン
３            ファスナーエレメント（列）
４            ファスナーテープ
６            棒状体
１０            噛合頭部
１１            脚部
１２            連結部
１３            噛合空間部
１４            止部
１５            上止め
１６            下止め
２０            模様
【図１】
0004116827.tif 000002
【図２】
0004116827.tif 000003
【図３】
0004116827.tif 000004
【図４】
0004116827.tif 000005
【図５】
0004116827.tif 000006
【図６】
0004116827.tif 000007
【図７】
0004116827.tif 000008
【図８】
0004116827.tif 000009
【図９】
0004116827.tif 000010
【図１０】
0004116827.tif 000011
【図１１】
0004116827.tif 000012
【図１２】
0004116827.tif 000013
【図１３】
0004116827.tif 000014
【図１４】
0004116827.tif 000015
【図１５】
0004116827.tif 000016